(57)【要約】【課題】被試験装置に印加した雷サージ過電圧が試験の対象としていないＩＴ機器等の通信機器である対向装置へ印加されるのを防止でき、しかも、共振周波数を高めることができる結合・減結合装置を提供する。【解決手段】ｘＤＳＬの通信信号を通過させる空心の円筒コイル（３０６１〜３０９１）を複数個直列に接続して構成されたコモンモードチョークコイル３１０を設け、巻線間で発生する静電容量を極力抑制して、共振周波数の向上を図る。【選択図】図３
2008206315.tif 000002
【特許請求の範囲】
【請求項１】
メタル加入者回線を用いたｘＤＳＬの通信線に被試験装置および対向装置を接続した雷サージ試験回路の当該被試験装置および対向装置の間に設置される結合・減結合装置であって、
雷サージ電圧を発生させる雷サージ発生器と当該雷サージ電圧の前記通信線への印加点との間に設けられ、当該雷サージ電圧を当該印加点へ印加する結合回路部と、
前記印加点より前記対向装置側に設けられ、印加された前記雷サージ電圧が前記対向装置に印加されるのを防止する減結合回路部と、
前記印加点より前記被試験装置側に設けられ、印加された前記雷サージ電圧を減衰させることが可能な一次防護素子部と、
前記一次防護素子部と前記被試験装置との間に設けられ、前記被試験装置に４本の通信線が接続される場合の当該通信線に１対１で接続される通信線接続端子を備え、前記被試験装置に２本の通信線が接続される場合の当該通信線が、当該通信線接続端子の中の隣接した２つの通信線接続端子に１対１で接続されるようにした入力部と、
前記減結合回路部と前記対向装置との間に設置され、前記対向装置に４本の通信線が接続される場合の当該通信線に１対１で接続される通信線接続端子を備え、前記対向装置に２本の通信線が接続される場合の当該通信線が、当該通信線接続端子の中の隣接した２つの通信線接続端子に１対１で接続されるようにした出力部と
を備えることを特徴とする結合・減結合装置。
【請求項２】
前記結合回路部は、
前記被試験装置の通信線とアースとの間に前記雷サージ電圧を印加する縦印加用結合回路部と、
前記被試験装置の通信線間に前記雷サージ電圧を印加する横印加用結合回路部と、
前記縦印加用結合回路部と前記横印加用結合回路部の一方を選択する機能とを備え、
初期設定においては、前記縦印加用結合回路部が選択されている
ことを特徴とする請求項１に記載の結合・減結合装置。
【請求項３】
前記結合回路部は、
前記雷サージ発生器で発生した正極性又は負極性の雷サージ電圧が印加される雷サージ入力端子と、
前記雷サージ電圧の基準になる０Ｖ端子と、
前記雷サージ電圧をｘＤＳＬの通信信号に悪影響を与えないで通過させる自動復帰スイッチ機能素子である３極ガス避雷管を備え、
前記３極ガス避雷管の接地電極以外の２つの電極はそれぞれ前記印加点に接続されており、
前記接地電極に前記雷サージ電圧を加えるように構成した、
ことを特徴とする請求項１または２記載の結合・減結合装置。
【請求項４】
前記結合回路部は、
ｘＤＳＬ用の結合回路部と、
アナログ用の結合回路部と、
前記ｘＤＳＬ用の結合回路部とアナログ用の結合回路部の一方を選択する機能とを備え、
初期設定においては、前記ｘＤＳＬ用の結合回路部が選択されている
ことを特徴とする請求項１ないし３のいずれかに記載の結合・減結合装置。
【請求項５】
前記減結合回路部は、
ｘＤＳＬの通信信号を通過させる空心の円筒コイルを複数個直列に接続して構成されたコモンモードチョークコイルを備える
ことを特徴とする請求項１ないし４のいずれかに記載の結合・減結合装置。
【請求項６】
前記コモンモードチョークコイルは、
絶縁材を被覆した電線を円筒のボビンに２並列巻き、又は４並列巻きしてなる複数個の前記円筒コイルの内側に、前記ボビンの内径にガタなく挿入することのできる外径を有する絶縁体樹脂からなる円筒の筐体を挿入し、前記円筒コイルと前記円筒の筐体との間で同軸構造を構成することによって、前記複数の円筒コイルを軸方向に配置した状態で各々の円筒コイル間で発生させた磁束の中心軸を一致させることのできる構造を有することを特徴とする請求項５記載の結合・減結合装置。
【請求項７】
前記一次防護素子部は、
前記印加点と前記入力部との間に加入者保安器を備え、
前記一次防護素子部を無効とした雷サージ試験を実施する際には、前記加入者保安器の無い経路を選択する機能を備え、
初期設定においては、前記加入者保安器の有る経路が選択されている
ことを特徴とする請求項１ないし６のいずれかに記載の結合・減結合装置。
【請求項８】
前記一次防護素子部は、
前記加入者保安器の有る経路を選択した場合は、当該加入者保安器の接地端子にアース抵抗を模した接地抵抗の一端が接続され、前記入力部のアース接続端子に接続されている前記一次防護素子部のアースポートに当該接地抵抗の他の一端が接続され、
前記加入者保安器の無い経路を選択した場合は、前記接地抵抗が接続されずに、当該加入者保安器がアースに対して絶縁されている状態を構築する機能を備える
ことを特徴とする請求項７記載の結合・減結合装置。
【請求項９】
前記入力部は、
前記被試験装置の通信線を接続する４個の通信線接続端子と、
前記被試験装置のアースポートを接続するアース接続端子と、
前記結合・減結合装置を零電位に保持するアース端子とを備え、
前記アース端子と、前記アース接続端子と、前記一次防護素子部のアースポートと、前記結合回路部の０Ｖ端子とが接続されており、
前記被試験装置が２本の通信線を接続して前記対向装置との間で通信をするのに対応する場合は、前記４個の通信線接続端子の中の２個の通信線接続端子のみを使用できるように構成された
ことを特徴とする請求項１ないし８のいずれかに記載の結合・減結合装置。
【請求項１０】
前記出力部は、
前記対向装置の通信線を接続する４個の通信線接続端子を備え、
前記対向装置が２本の通信線を接続して前記被試験装置との間で通信をするのに対応する場合は、前記４個の通信線接続端子の中の２個の通信線接続端子のみを使用できるように構成された
ことを特徴とする請求項１ないし９のいずれかに記載の結合・減結合装置。
【請求項１１】
前記入力部、前記結合回路部、前記一次防護素子部は、
前記結合・減結合装置の筐体における４つの側面のうちの１つの側面に設けられ、
前記出力部は、
前記１つの側面に対向する側面に設けられた
ことを特徴とする請求項１ないし１０のいずれかに記載の結合・減結合装置。
【発明の詳細な説明】
【技術分野】
【０００１】
本発明は、ｘＤＳＬ（x Digital Subscriber Line）高速常時接続通信ネットワークに接続されているＩＴ（Information Technology）機器等の通信機器に雷サージ過電圧が印加された際に、上記ＩＴ機器等が有する過電圧に対する耐力特性を評価するための雷サージ試験回路に用いられる結合・減結合装置に関する。
【背景技術】
【０００２】
ネットワークのブロードバンド化に伴うインターネット利用の急激な増加の下で、メタル加入者回線においては、従来の音声伝送信号に比べ、ｘＤＳＬ等の高速デジタル伝送信号の常時接続された状態での使用が普及している。
【０００３】
常時接続通信の普及とともに、ｘＤＳＬ用ＩＴ機器等の雷サージに対する信頼性向上が求められている。これらのＩＴ機器は通信速度の高速化、広帯域化に伴い、使用する電子デバイスが低電圧駆動され、かつ高密度実装されたために、雷サージ過電圧に対する耐力の低下傾向にある。これに加えて常時接続通信状態が急増し、雷に暴露される確立が高くなったことも一時的な通信異常の増えている一因となっている。
【０００４】
これを改善するためには、ＩＴ機器等の雷サージ過電圧に対する耐力特性の評価が必要になっている。
【０００５】
ｘＤＳＬ用のＩＴ機器等の雷サージ試験に際しては、国際電気通信連合電気通信標準化部門の過電圧試験法に関する勧告（以下、ＩＴＵ−Ｔ  ｋ．４４という。）の試験条件において述べられているように、ＩＴ機器等を動作状態で実施する必要がある。
【０００６】
しかし、雷サージ試験を行う際には、印加した雷サージ過電圧から対向装置を防護するための減結合回路が必要であり、上記ＩＴＵ−Ｔ  ｋ．４４においても減結合回路を原則として使用することとしている。
【０００７】
この出願の発明に関連する先行技術文献情報としては特許文献１がある。
【０００８】
また、上記の動作状態における試験の実施及び減結合回路の原則的な使用方法については、非特許文献１に開示されている。
【特許文献１】特開２００６−３５２６９８号公報
【非特許文献１】「ITU-T K.44 “Resistibility tests for telecommunication equipment exposed to overvoltages and overcurrents-Basic Recommendation”02/2000」
【発明の開示】
【発明が解決しようとする課題】
【０００９】
上記の状況を鑑みれば、減結合回路を減結合回路部として１つの筐体に収容し、この減結合回路部とともに用いられる結合回路部、一次防護素子部もその筐体に収容し、これにより、測定者が高電圧部分に極力触れることなく、ｘＤＳＬ用ＩＴ機器等の雷サージ試験を実施できる結合・減結合装置が必要である。
【００１０】
また、この結合・減結合装置をアナログの通信機器に対する雷サージ試験にも使用できれば、なお好ましい。
【００１１】
雷サージ試験においては、高い雷サージ電圧に対する人体の安全性だけではなく、測定用機器のショート等の防止や測定の迅速化を図ることも必要である。
【００１２】
このためにも、結合回路部、減結合回路部、及び一次防護素子部を、絶縁体である１つの筐体内にまとめて収容するのが好ましい。
【００１３】
従来では、特許文献１において、雷サージ試験におけるｘＤＳＬのような高速デジタル通信信号を伝送することのできる減結合回路が開示されている。その減結合回路は、平成１５年１月３１日制定された日本電信電話株式会社の通信装置の過電圧耐力に関するテクニカルリクワイヤメントＴＲ１８９００１号に定められている雷サージ試験電圧の最大値３０ｋＶにおける試験に適用されている。
【００１４】
しかし、この減結合回路の共振周波数は５０ｋＨｚ程度であるために、通信機器の試験波形である波頭長１０ｕｓ、波尾長７００ｕｓの波形（「１０／７００ｕｓ波形」と略記する）を用いた雷サージ試験を実施する場合において、例えば５０ｋＨｚの周波数成分の電圧については、対向装置に流れ込む電圧を阻止できるのは約３０ｄＢ（１／３２）であり、対向装置に何らかの悪影響を与える虞がある。
【００１５】
１０／７００ｕｓ波形について、その周波数成分の電圧を６０ｄＢ（１／１０００）に低減させるには、共振周波数を少なくとも２００ｋＨｚ近くにまで向上させるのが望ましい。
【００１６】
減結合回路部がこの共振周波数２００ｋＨｚを実現できるとすれば、雷サージ試験において最大の雷サージ電圧３０ｋＶを印加した場合に、対向装置に流れ込む電圧は数十Ｖに抑制できると推定される。また、共振周波数の目標値を達成するうえで、結合・減結合装置が耐電圧３０ｋＶ以上を有することは最低限必要であるが、他にも様々な条件がある。
【００１７】
ｘＤＳＬにおいては、主にＡＤＳＬ(Asymmetric DSL)、ＶＤＳＬ(Very high bit-rate DSL)が使用される。ＡＤＳＬの周波数帯域は２６ｋＨｚ〜３．７５ＭＨｚ、ＶＤＳＬの周波数帯域は２６ｋＨｚ〜１６．２ＭＨｚである。このため、これらの周波数帯域において、減結合回路部と通信線とのインピーダンス整合を図ることによって高速伝送信号をできるだけ減衰させないことが必要である。このために減結合回路部は、ノーマルインピーダンスが１１０Ω程度の特性が求められる。
【００１８】
ｘＤＳＬ用ＩＴ機器等には、通信線接続端子を４個備えるものがあり、その４個が使用される可能性があるから、減結合回路部では少なくとも巻き線を４本備える必要がある。
【００１９】
一方、ｘＤＳＬ用ＩＴ機器等には、通信線接続端子を２個備えるものがあり、この場合、その２個だけが使用されるから、減結合回路部の４本の巻き線の内の２本を使用することもできる必要がある。
【００２０】
特許文献１の減結合回路には、空心の多層円筒形コイルが構成されるとともに、４本の巻き線を備えるコモンモードチョークコイルが使用されている。４本の巻き線のそれぞれでは、そのインダクタンス値が、国際電気標準会議の電磁適合性におけるサージイミュニティ試験規格ＩＥＣ６１０００−４−５に基づき、２０ｍＨになっている。
【００２１】
本発明は、上記に鑑みてなされたもので、その目的は、被試験装置に印加した雷サージ過電圧が試験の対象としていないＩＴ機器等の通信機器である対向装置へ印加されるのを防止でき、しかも、共振周波数を高めることができる結合・減結合装置を提供することにある。
【課題を解決するための手段】
【００２２】
上記課題を解決するため、請求項１記載の結合・減結合装置は、メタル加入者回線を用いたｘＤＳＬの通信線に被試験装置および対向装置を接続した雷サージ試験回路の当該被試験装置および対向装置の間に設置される結合・減結合装置であって、雷サージ電圧を発生させる雷サージ発生器と当該雷サージ電圧の前記通信線への印加点との間に設けられ、当該雷サージ電圧を当該印加点へ印加する結合回路部と、前記印加点より前記対向装置側に設けられ、印加された前記雷サージ電圧が前記対向装置に印加されるのを防止する減結合回路部と、前記印加点より前記被試験装置側に設けられ、印加された前記雷サージ電圧を減衰させることが可能な一次防護素子部と、前記一次防護素子部と前記被試験装置との間に設けられ、前記被試験装置に４本の通信線が接続される場合の当該通信線に１対１で接続される通信線接続端子を備え、前記被試験装置に２本の通信線が接続される場合の当該通信線が、当該通信線接続端子の中の隣接した２つの通信線接続端子に１対１で接続されるようにした入力部と、前記減結合回路部と前記対向装置との間に設置され、前記対向装置に４本の通信線が接続される場合の当該通信線に１対１で接続される通信線接続端子を備え、前記対向装置に２本の通信線が接続される場合の当該通信線が、当該通信線接続端子の中の隣接した２つの通信線接続端子に１対１で接続されるようにした出力部とを備えることを特徴とする。
【００２３】
請求項２記載の結合・減結合装置は、請求項１に記載の結合・減結合装置において、前記結合回路部は、前記被試験装置の通信線とアースとの間に前記雷サージ電圧を印加する縦印加用結合回路部と、前記被試験装置の通信線間に前記雷サージ電圧を印加する横印加用結合回路部と、前記縦印加用結合回路部と前記横印加用結合回路部の一方を選択する機能とを備え、初期設定においては、前記縦印加用結合回路部が選択されていることを特徴とする。
【００２４】
請求項３記載の結合・減結合装置は、請求項１または２記載の結合・減結合装置において、前記結合回路部は、前記雷サージ発生器で発生した正極性又は負極性の雷サージ電圧が印加される雷サージ入力端子と、前記雷サージ電圧の基準になる０Ｖ端子と、前記雷サージ電圧をｘＤＳＬの通信信号に悪影響を与えないで通過させる自動復帰スイッチ機能素子である３極ガス避雷管を備え、前記３極ガス避雷管の接地電極以外の２つの電極はそれぞれ前記印加点に接続されており、前記接地電極に前記雷サージ電圧を加えるように構成した、ことを特徴とする。
【００２５】
請求項４記載の結合・減結合装置は、請求項１ないし３のいずれかに記載の結合・減結合装置において、前記結合回路部は、ｘＤＳＬ用の結合回路部と、アナログ用の結合回路部と、前記ｘＤＳＬ用の結合回路部とアナログ用の結合回路部の一方を選択する機能とを備え、初期設定においては、前記ｘＤＳＬ用の結合回路部が選択されていることを特徴とする。
【００２６】
請求項５記載の結合・減結合装置は、請求項１ないし４のいずれかに記載の結合・減結合装置において、前記減結合回路部は、ｘＤＳＬの通信信号を通過させる空心の円筒コイルを複数個直列に接続して構成されたコモンモードチョークコイルを備えることを特徴とする。
【００２７】
請求項６記載の結合・減結合装置は、請求項５記載の結合・減結合装置において、前記コモンモードチョークコイルは、絶縁材を被覆した電線を円筒のボビンに２並列巻き、又は４並列巻きしてなる複数個の前記円筒コイルの内側に、前記ボビンの内径にガタなく挿入することのできる外径を有する絶縁体樹脂からなる円筒の筐体を挿入し、前記円筒コイルと前記円筒の筐体との間で同軸構造を構成することによって、前記複数の円筒コイルを軸方向に配置した状態で各々の円筒コイル間で発生させた磁束の中心軸を一致させることのできる構造を有することを特徴とする。
【００２８】
請求項７記載の結合・減結合装置は、請求項１ないし６のいずれかに記載の結合・減結合装置において、前記一次防護素子部は、前記印加点と前記入力部との間に加入者保安器を備え、前記一次防護素子部を無効とした雷サージ試験を実施する際には、前記加入者保安器の無い経路を選択する機能を備え、初期設定においては、前記加入者保安器の有る経路が選択されていることを特徴とする。
【００２９】
請求項８記載の結合・減結合装置は、請求項７記載の結合・減結合装置において、前記一次防護素子部は、前記加入者保安器の有る経路を選択した場合は、当該加入者保安器の接地端子にアース抵抗を模した接地抵抗の一端が接続され、前記入力部のアース接続端子に接続されている前記一次防護素子部のアースポートに当該接地抵抗の他の一端が接続され、前記加入者保安器の無い経路を選択した場合は、前記接地抵抗が接続されずに、当該加入者保安器がアースに対して絶縁されている状態を構築する機能を備えることを特徴とする。
【００３０】
請求項９記載の結合・減結合装置は、請求項１ないし８のいずれかに記載の結合・減結合装置において、前記入力部は、前記被試験装置の通信線を接続する４個の通信線接続端子と、前記被試験装置のアースポートを接続するアース接続端子と、前記結合・減結合装置を零電位に保持するアース端子とを備え、前記アース端子と、前記アース接続端子と、前記一次防護素子部のアースポートと、前記結合回路部の０Ｖ端子とが接続されており、前記被試験装置が２本の通信線を接続して前記対向装置との間で通信をするのに対応する場合は、前記４個の通信線接続端子の中の２個の通信線接続端子のみを使用できるように構成されたことを特徴とする。
【００３１】
請求項１０記載の結合・減結合装置は、請求項１ないし９のいずれかに記載の結合・減結合装置において、前記出力部は、前記対向装置の通信線を接続する４個の通信線接続端子を備え、前記対向装置が２本の通信線を接続して前記被試験装置との間で通信をするのに対応する場合は、前記４個の通信線接続端子の中の２個の通信線接続端子のみを使用できるように構成されたことを特徴とする。
【００３２】
請求項１１記載の結合・減結合装置は、請求項１ないし１０のいずれかに記載の結合・減結合装置において、前記入力部、前記結合回路部、前記一次防護素子部は、前記結合・減結合装置の筐体における４つの側面のうちの１つの側面に設けられ、前記出力部は、前記１つの側面に対向する側面に設けられたことを特徴とする。
【発明の効果】
【００３３】
請求項１記載の発明によれば、ｘＤＳＬ用ＩＴ機器等の雷サージ試験において、高電圧が印加される結合回路部、減結合回路部、及び一次防護素子部は一つの筐体に収容することによって、測定者が高電圧部分に極力触れることがないため安全、且つ迅速に試験を実施することが可能となった。また、本装置は従来のアナログ通信機器の雷サージ試験にも適用できる。ｘＤＳＬの通信信号を通過させるための分割した空芯コイルを複数個、直列に接続したコモンモードチョークコイルを有することにより、空芯コイルの巻線間で発生する静電容量を極力抑制して、共振周波数の向上を図った効果によって、従来のコモンモードチョークコイルに比べて、被試験装置への印加した雷サージ過電圧が試験の対象としていない対向装置に流入することを未然に防止するための性能を向上させることが可能となり、ＩＴ機器等の通信機器の動作状態での雷サージ試験を精度良く行うことができる。
【００３４】
請求項２記載の発明によれば、結合回路部は縦印加用と横印加用とを備えており、切替え機能を用いてどちらか一方を選択できるため、各々の試験のたびに配線をはずしたり付けたりする手間を省略できるので試験時間の節約が図れる。また高電圧部分に触ることがないため、作業者の安全性も向上する。
【００３５】
請求項３記載の発明によれば、被試験装置と対向装置間での通信状態において、通信線が２線の場合において被試験装置に雷サージ電圧を印加しても、自動復帰スイッチ機能素子である３極ガス避雷管の電極間静電容量が１〜２ｐＦと非常に小さいので、ｘＤＳＬの通信信号に減衰等の悪影響を与えることはほとんど無い。また、２極ガス避雷管を用いて結合回路部を構成することもできるが２個必要であるばかりでなく、２つの２極ガス避雷管の間で放電開始時間に差異が発生するため、これによって２本の通信線の線間に横電圧を発生して、被試験装置に悪影響を与える恐れがある。このため結合回路部には３極ガス避雷管を用いるのが有利である。
【００３６】
請求項４記載の発明によれば、従来の低速のアナログ通信機器の雷サージ試験にも適用できるようにｘＤＳＬ用とは別のアナログ用結合回路部を備えている。アナログ用結合回路部はＩＥＣ６１０００−４−５に記載されている回路構成を採用している。このため本結合・減結合装置は２種類の結合回路部を有しているので、ｘＤＳＬ用とアナログ用結合回路部を別々に搭載した装置を使用するよりも経済的に有利である。
【００３７】
請求項５記載の発明によれば、ｘＤＳＬの通信信号を通過させる分割された空心円筒コイルを複数個直列に接続して動作させるコモンモードチョークコイルであることから、巻線間の静電容量を低減することが可能となり、これによってコモンモードチョークコイルの共振周波数の向上を図ることができる。
【００３８】
請求項６記載の発明によれば、高絶縁材を被覆した巻線用電線を円筒のボビンに２並列巻き、又は４並列巻きして構成した複数個の円筒コイルの内径に対して、ガタなく挿入できる外径を持つ絶縁体樹脂から成る別の一本の、複数個の円筒コイルを全部加算した長さを超えた全体の長さをもつ円筒の筐体を挿入する構造を有することによって、複数個の円筒コイルと円筒の筐体との間で同軸構造が構成される。この同軸構造によって複数個の円筒コイルを軸方向に配置した状態で各々の円筒コイル間で発生する磁束の中心軸を一義的に一致させることができる。
【００３９】
請求項７記載の発明によれば、例えば、日本電信電話株式会社のメタル加入者回線に使用されている所定の加入者保安器を被試験装置の一次防護素子部として使用することによって、現実の加入者保安器を使用する環境を考慮した雷サージ試験を実施できる。また、一次防護素子部を使用しない雷サージ試験を実施する際には、加入者保安器の無い経路に切替えることができるので各々の試験のたびに加入者保安器をはずしたり付けたりする手間を省略できるので試験時間の節約が図れ、且つ高電圧部分に触ることがないため、作業者の安全性も向上できる。
【００４０】
請求項８記載の発明によれば、一次防護素子部有りを選択した場合には、加入者保安器の接地端子に接地抵抗を模擬した任意の抵抗値、例えば３００Ωがアース間に形成された状態で雷サージ試験を迅速に実施できる。一次防護素子部無しを選択した場合には通信線から加入者保安器が切り離された状態を構成できるので、雷サージ試験を一台の結合・減結合装置で実施することができる。
【００４１】
請求項９記載の発明によれば、４本の通信線をもつ被試験装置を結合・減結合装置に設置する手順は、その４本の通信線を入力部の４個の通信線接続端子に接続する、被試験装置のアースポートを入力部のアース接続端子に接続する、さらに入力部のアース端子を試験室のアースに接続することで回線設定ができる。２本の通信線をもつ被試験装置の場合は、その通信線を入力部の４個の通信線接続端子の中の所定の２個の通信線接続端子に接続することで回線設定ができる。
【００４２】
請求項１０記載の発明によれば、４本の通信線をもつ対向装置を結合・減結合装置に設置する手順は、その４本の通信線を出力部の４個の通信線接続端子に接続するだけで回線設定ができる。２本の通信線をもつ対向装置の場合は、その通信線を出力部の４個の通信線接続端子の中の所定の２個の通信線接続端子に接続すれば回線設定ができる。
【００４３】
請求項１１記載の発明によれば、結合・減結合装置の入力部を筐体高さ方向の４個のうちの一つの側面に設置し、また出力部を入力部と対面する筐体の面に設置して構成することによって、被試験装置と対向装置間の離隔距離を長くすることができるので、両装置間でのｘＤＳＬ通信信号に与える電磁干渉を極力抑制できる。また入力部と結合回路部と一次防護素子部を同じ側面に設置することによって、雷サージ試験を実施する上での操作性、利便性及び安全性の向上を図ることができる。
【発明を実施するための最良の形態】
【００４４】
以下、本発明の実施の形態を図面を参照して説明する。
【００４５】
図１は、本発明の一実施形態に係る結合・減結合装置を適用した雷サージ試験回路を示す回路図である。なお、図１に示す結合・減結合装置１００は、メタル加入者回線を用いた高速デジタル伝送方式であるｘＤＳＬ用のＩＴ機器の雷サージ試験回路に適用した例を示しており、通信線の本数は４本である。
【００４６】
結合・減結合装置１００は、ｘＤＳＬ用のＩＴ機器である被試験装置３００に接続される入力部１と、雷サージ発生器４００に接続される結合回路部２と、被試験装置３００と同様なｘＤＳＬ用のＩＴ機器である対向装置２００を防護する減結合回路部３と、被試験装置３００を防護する一次防護素子部４と、対向装置２００に接続される出力部５とを筐体１０１内に収容したものである。
【００４７】
図２は、結合・減結合装置１００の一部を切り欠いた斜視図である。 
結合・減結合装置１００の外寸は、横１０５ｃｍ×奥行き１０５ｃｍ×高さ１７５ｃｍである。筐体１０１は、骨組み材とベークライト板の４枚の側面板、天井板及び底板とで構成され、また通信線接続端子１１〜１４とアース接続端子１９、０Ｖ端子２０と雷サージ入力端子２１、一次防護素子部４及び通信線接続端子５１〜５４（不図示だが、図示された通信線接続端子５５〜５８に対向するように設けられる）とアース接続端子５０はそれぞれアクリル板の防護蓋（不図示）の中に設置されており、接続線は当該の前記防護蓋の下部から引き出される。前記防護蓋はそれぞれが上面の一端を蝶番で側面１０１１、１０１２に取り付けており、それぞれの前記防護蓋は所定の接続端子に線を接続する際は、前記防護蓋を上方向に開く構造になっている。
【００４８】
筐体１０１の側面１０１１には、入力部１、結合回路部２、一次防護素子部４が設けられ、側面１０１１に対向する側面１０１２には、出力部５が設けられる。減結合回路部３は、筐体１０１に収容される。
【００４９】
入力部１では、その通信線接続端子１１〜１４、アース接続端子１９は、前記防護蓋の中に収容され、アース端子１０が外側に露出している。組で使用される通信線接続端子１１、１２は互いに隣接して配置される。また、組で使用される通信線接続端子１３、１４は互いに隣接して配置される。
【００５０】
出力部５では、その通信線接続端子５５〜５８が内側に露出し、通信線接続端子５５〜５８は、通信線を介して減結合回路部３に接続される。また、通信線接続端子５１〜５４とアース接続端子５０は前記防護蓋の中に収容されている。
【００５１】
結合回路部２では、その０Ｖ端子２０、雷サージ入力端子２１が、前記防護蓋の中に収容されている。雷サージ入力端子２１は、高絶縁耐力を有する端子である。
【００５２】
結合・減結合装置１００では、高電圧が扱われるが、外側に露出しているアース端子１０以外の回路は、筐体１０１及び前記防護蓋に内包されるので、高電圧の部分に測定者が触れることを極力避けることができ、よって、安全且つ迅速に試験を実施することができる。
【００５３】
また、側面１０１１に入力部１を設け、対向する側面１０１２に出力部５を設けたので、被試験装置３００及び対向装置２００の離間距離を長くできる。よって、被試験装置３００及び対向装置２００に与える電磁干渉を極力抑制できる。
【００５４】
図１に戻り、結合回路部２は、スイッチ２０１〜２０６、アナログ用結合回路部２０７、２０８、３極ガス避雷管２０９〜２１２、０Ｖ端子２０、雷サージ入力端子２１、出力端子２３〜２６を備える。
【００５５】
３極ガス避雷管２０９〜２１２は、雷サージ電圧をｘＤＳＬの通信信号に悪影響を与えないで通過させる自動復帰スイッチ機能素子であることにより用いられる。３極ガス避雷管２０９〜２１２としては、その電極間静電容量が１〜２ｐＦのものが使用される。前述のように、０Ｖ端子２０、雷サージ入力端子２１は、前記防護蓋の中に収容されており、筐体１０１の外側に露出しない。
【００５６】
３極ガス避雷管２０９、２１１により、いわゆる縦印加用結合回路部が構成され、３極ガス避雷管２０９〜２１２により、いわゆる横印加用結合回路部が構成される。
【００５７】
３極ガス避雷管２０９〜２１２、スイッチ２０２、２０４により、ｘＤＳＬ用の結合回路部が構成され、アナログ用結合回路部２０７、２０８により、アナログ用の結合回路部が構成される。
【００５８】
アナログ用結合回路部２０７、２０８は、低速なアナログの通信機器の雷サージ試験も行えるように設けられ、国際電気標準会議の電磁適合性におけるサージイミュニティ試験規格ＩＥＣ６１０００−４−５に示されている２極ガス避雷管とコンデンサの並列接続で構成される。この２極ガス避雷管は、自動復帰スイッチ機能素子であることにより用いられる。
【００５９】
０Ｖ端子２０、雷サージ入力端子２１は、雷サージ発生器４００のアースポート４００２、高電圧ポート４００１にそれぞれ接続される。
【００６０】
雷サージ入力端子２１は、スイッチ２０１の端子２０１１に接続される。また、雷サージ入力端子２１は、スイッチ２０５を介して、スイッチ２０３の端子２０３１に接続される。スイッチ２０５では、通常はその各端子がフローティングになっている。
【００６１】
スイッチ２０１の端子２０１２は、３極ガス避雷管２０９の接地電極に接続される。 
３極ガス避雷管２０９の一方の通信線用電極は、出力端子２３に接続される。
【００６２】
スイッチ２０１の端子２０１３は、アナログ用結合回路部２０７の入力端子に接続される。アナログ用結合回路部２０７の２つの出力端子は、出力端子２３、２４にそれぞれ接続される。
【００６３】
０Ｖ端子２０は、３極ガス避雷管２１０の接地電極に接続される。また、０Ｖ端子２０は、スイッチ２０６を介して、３極ガス避雷管２１２の接地電極に接続される。スイッチ２０６では、通常はその各端子がフローティングになっている。
【００６４】
３極ガス避雷管２１０の一方の通信線用電極は、スイッチ２０２の端子２０２１に接続される。３極ガス避雷管２１０の他方の通信線用電極はフローティングにされる。 
３極ガス避雷管２０９の他方の通信線用電極は、スイッチ２０２の端子２０２２に接続される。
【００６５】
スイッチ２０２の端子２０２３は出力端子２４に接続される。 
スイッチ２０１では、端子２０１１、２０１２間が接続され、端子２０１３はフローティングになっている。 
スイッチ２０２では、端子２０２２、２０２３間が接続され、端子２０２１はフローティングになっている。 
スイッチ２０３の端子２０３２は、３極ガス避雷管２１１の接地電極に接続される。３極ガス避雷管２１１の一方の通信線用電極は、出力端子２６に接続される。 
スイッチ２０３の端子２０３３は、アナログ用結合回路部２０８の入力端子に接続される。
【００６６】
アナログ用結合回路部２０８の２つの出力端子は、出力端子２５、２６にそれぞれ接続される。 
３極ガス避雷管２１２の一方の通信線用電極は、スイッチ２０４の端子２０４１に接続される。３極ガス避雷管２１２の他方の通信線用電極は、フローティングにされる。 
３極ガス避雷管２１１の他方の通信線用電極は、スイッチ２０４の端子２０４２に接続される。 
スイッチ２０４の端子２０４３は出力端子２５に接続される。 
スイッチ２０３では、端子２０３１、２０３２間が接続され、端子２０３３はフローティングになっている。 
スイッチ２０４では、端子２０４２、２０４３間が接続され、端子２０４１はフローティングになっている。
【００６７】
なお、結合回路部２において、３極ガス避雷管でなく、２極ガス避雷管を用いてもよい。しかし、この場合、３極ガス避雷管１個に対して２極ガス避雷管が２個必要になってしまう。また、２個の２極ガス避雷管の間で放電開始時間に差異が発生し、その２極ガス避雷管が接続される通信線の線間に横電圧が発生して、被試験装置３００に悪影響を与える虞がある。よって、結合回路部２には、３極ガス避雷管を用いるのが好ましい。
【００６８】
また、結合回路部２では、ｘＤＳＬ用の回路、つまり、スイッチ２０２、２０４、３極ガス避雷管２０９〜２１２だけでなく、アナログ用の回路、つまり、アナログ用結合回路部２０７、２０８、並びにｘＤＳＬ用の回路とアナログ用の回路とを切り換えるスイッチ２０１、２０３を備えるので、ｘＤＳＬ用の回路のみを備える結合回路部を含む結合・減結合装置と、アナログ用の回路のみを備える結合回路部を含む結合・減結合装置とを用いるよりも経済的に好ましい。
【００６９】
入力部１は、通信線接続端子１１〜１８、アース接続端子１９、１Ａ、アース端子１０を備える。前述のように、通信線接続端子１１〜１４、アース接続端子１９は前記防護蓋の中に収容され、アース端子１０が筐体１０１の外側に露出している。
【００７０】
通信線接続端子１１〜１４は、通信線（平衡線）３１００を介して、被試験装置３００の通信線接続端子３００１〜３００４にそれぞれ接続される。
【００７１】
図示しないが、被試験装置３００が通信線接続端子３００３、３００４を備えない場合、通信線接続端子１１、１２が、２本の通信線（平衡線）を介して、通信線接続端子３００１、３００２にそれぞれ接続される。
【００７２】
アース接続端子１９は、アース線を介して、被試験装置３００のアースポート３００５に接続される。
【００７３】
通信線接続端子１１と１５、１２と１６、１３と１７、１４と１８、アース接続端子１９と１Ａ、がそれぞれ接続される。
【００７４】
出力部５は、通信線接続端子５１〜５８、アース接続端子５０を備える。通信線接続端子５１〜５４、アース接続端子５０は、前記防護蓋の中に収容されている。組で使用される通信線接続端子５１、５２は互いに隣接して配置される。また、組で使用される通信線接続端子５３、５４は互いに隣接して配置される。
【００７５】
通信線接続端子５１〜５４は、通信線（平衡線）２１００を介して、対向装置２００の通信線接続端子２００１〜２００４にそれぞれ接続される。
【００７６】
対向装置２００のアースポート２００５は、フローティングにされる。
【００７７】
図示しないが、対向装置２００が通信線接続端子２００３、２００４を備えない場合、通信線接続端子５１、５２が、２本の通信線（平衡線）を介して、通信線接続端子２００１、２００２にそれぞれ接続される。
【００７８】
通信線接続端子５１と５５、５２と５６、５３と５７、５４と５８、がそれぞれ接続される。
【００７９】
一次防護素子部４は、加入者保安器４０１、４０２、スイッチ４０３〜４０８、接地抵抗４０９、４１０、アースポート４０、通信線接続端子４１〜４８を備える。加入者保安器４０１、４０２は、ユーザ宅に設置されるものを使用することができる。加入者保安器４０１、４０２は、例えば、日本電信電話株式会社のメタル加入者回線に使用されている所定のものを使用することができる。接地抵抗４０９、４１０は、こうした、実際の加入者保安器でのアース抵抗を模したものであり、例えば、その値は３００Ωである。こうして、実際に使用されている加入者保安器や実際の接地抵抗を模したものを使用することで、実際の通信環境に則した雷サージ試験を実施できる。その際には、雷サージ電圧を所定の電圧まで減衰させることができる。
【００８０】
通信線接続端子４１は、加入者保安器４０１の一方の通信線用の一方の端子に接続される。通信線接続端子４５は、加入者保安器４０１の一方の通信線用の他方の端子に接続される。通信線接続端子４１、４５は、スイッチ４０３を介して互いに接続される。
【００８１】
通信線接続端子４２は、加入者保安器４０１の他方の通信線用の一方の端子に接続される。通信線接続端子４６は、加入者保安器４０１の他方の通信線用の他方の端子に接続される。通信線接続端子４２、４６は、スイッチ４０４を介して互いに接続される。
【００８２】
通信線接続端子４３は、加入者保安器４０２の一方の通信線用の一方の端子に接続される。通信線接続端子４７は、加入者保安器４０２の一方の通信線用の他方の端子に接続される。通信線接続端子４３、４７は、スイッチ４０５を介して互いに接続される。
【００８３】
通信線接続端子４４は、加入者保安器４０２の他方の通信線用の一方の端子に接続される。通信線接続端子４８は、加入者保安器４０２の他方の通信線用の他方の端子に接続される。通信線接続端子４４、４８は、スイッチ４０６を介して互いに接続される。
【００８４】
加入者保安器４０１の接地端子（図示せず）は、接地抵抗４０９とスイッチ４０７を介して、アースポート４０に接続される。
【００８５】
加入者保安器４０２の接地端子（図示せず）は、接地抵抗４１０とスイッチ４０８を介して、アースポート４０に接続される。
【００８６】
スイッチ４０３〜４０６では、各端子がフローティングにされている。 
スイッチ４０７、４０８のそれぞれでは、各端子が接続されている。
【００８７】
減結合回路部３は、コモンモードチョークコイル３１０、ワイヤ接続端子３１〜３８を備える。
【００８８】
コモンモードチョークコイル３１０の巻き線３０１の一端がワイヤ接続端子３１に接続され、巻き線３０１の他端がワイヤ接続端子３５に接続される。 
コモンモードチョークコイル３１０の巻き線３０２の一端がワイヤ接続端子３２に接続され、巻き線３０２の他端がワイヤ接続端子３６に接続される。 
コモンモードチョークコイル３１０の巻き線３０３の一端がワイヤ接続端子３３に接続され、巻き線３０３の他端がワイヤ接続端子３７に接続される。 
コモンモードチョークコイル３１０の巻き線３０４の一端がワイヤ接続端子３４に接続され、巻き線３０４の他端がワイヤ接続端子３８に接続される。
【００８９】
入力部１の通信線接続端子１５〜１８は、４本の通信線（平衡線）４９を介して、一次防護素子部４の通信線接続端子４１〜４４にそれぞれ接続される。
【００９０】
出力部５の通信線接続端子５５〜５８は、４本の通信線（平衡線）５９を介して、抵抗６１〜６４の一端にそれぞれ接続される。抵抗６１〜６４の他端は、減結合回路部３のワイヤ接続端子３１〜３４にそれぞれ接続される。抵抗６１〜６４には、スイッチ６５〜６８がそれぞれ接続される。スイッチ６５〜６８では、各端子が接続されている。
【００９１】
減結合回路部３のワイヤ接続端子３５〜３８は、４本の通信線（平衡線）３９を介して、一次防護素子部４の通信線接続端子４５〜４８にそれぞれ接続される。
【００９２】
ワイヤ接続端子３５と通信線接続端子４５とを接続する通信線には雷サージ印加点Ｔ１が設定され、ワイヤ接続端子３６と通信線接続端子４６とを接続する通信線には雷サージ印加点Ｔ２が設定される。結合回路部２の出力端子２４、２３は、不平衡線２７を介して、雷サージ印加点Ｔ１、Ｔ２にそれぞれ接続される。
【００９３】
ワイヤ接続端子３７と通信線接続端子４７とを接続する通信線には雷サージ印加点Ｔ３が設定され、ワイヤ接続端子３８と通信線接続端子４８とを接続する通信線には雷サージ印加点Ｔ４が設定される。結合回路部２の出力端子２５、２６は、不平衡線２８を介して、雷サージ印加点Ｔ３、Ｔ４にそれぞれ接続される。
【００９４】
入力部１のアース接続端子１Ａ、アース端子１０、アース接続端子１９、結合回路部２の０Ｖ端子２０、一次防護素子部４のアースポート４０、出力部５のアース接続端子５０は、互いに接続される。
【００９５】
入力部１のアース端子１０は、結合・減結合装置１００の外部に設置されているアースＧに接続され、零電位に保持される。
【００９６】
図３は、コモンモードチョークコイル３１０の回路図である。図４は、コモンモードチョークコイル３１０の一実施例において一部を切り欠いた側面図である。
【００９７】
減結合回路部３は、コモンモードチョークコイル３１０、ワイヤ接続端子３１〜３８を備える。
【００９８】
コモンモードチョークコイル３１０は、巻き線３０１〜３０４、円筒筐体３０５、ボビン３０６〜３０９を備える。円筒筐体３０５は、絶縁体樹脂製の、例えば、塩化ビニール製の円筒の筐体である。ボビン３０６〜３０９のそれぞれは、例えば、塩化ビニールパイプ製の円筒の長手方向の両端にアクリル製円板のフランジ状ストッパを有するものである。
【００９９】
コモンモードチョークコイル３１０の一実施例では、巻き線３０１〜３０４は、高い絶縁性を有する絶縁材を被覆したもの、例えば、７．５ｋＶポリエチレン絶縁ビニールシース電線であり、外径、断面積は、それぞれ５．４ｍｍ、２ｍｍ2である。同実施例では、こうして絶縁性能と経済性を考慮した。また、同実施例では、コモンモードチョークコイル３１０のノーマルインピーダンスは１１０Ω程度である。よって、ＡＤＳＬ、ＶＤＳＬの周波数帯域において、減結合回路部３と通信線とのインピーダンス整合を図ることによって、高速伝送信号をできるだけ減衰させないようにできる。
【０１００】
同実施例では、ボビン３０６〜３０９は、それぞれ、長さが１９８ｍｍ、外径が４１０ｍｍ、内径が３７０ｍｍ、フランジ外径が６４０ｍｍである。
【０１０１】
同実施例では、円筒筐体３０５は、長さが１１８０ｍｍ、外径が３７０ｍｍ、内径が３４７ｍｍである。
【０１０２】
ボビン３０６〜３０９の内径は同一であり、その内径より円筒筐体３０５の外径が少し小さくなっている。ボビン３０６〜３０９では、隣り合うボビン間に空隙３８０が設けられる。そして、ボビン３０６〜３０９の内側に円筒筐体３０５がガタなく挿入される。
【０１０３】
コモンモードチョークコイル３１０は、こうして空芯構造にされる。つまり、数百Ｖから３０ｋＶ以上の雷サージ電圧で雷サージ試験が実施できるように、空芯構造として、かかる雷サージ電圧によっても、コモンモードチョークコイル３１０が磁気飽和しないようになっている。
【０１０４】
円筒筐体３０５の軸方向の長さは、ボビン３０６〜３０９の長さの合計と、空隙３８０の長さの合計と、ワイヤ接続端子３１〜３４が取り付けられる部分３０５１の長さと、ワイヤ接続端子３５〜３８が取り付けられる部分３０５２の長さの総和である。
【０１０５】
巻き線３０１〜３０４の最もワイヤ接続端子３５〜３８に近い部分が、ボビン３０６に並列巻きで多層に巻かれ、こうして、空心の円筒コイルである分割コイル３０６１が構成される。
【０１０６】
巻き線３０１〜３０４の次にワイヤ接続端子３５〜３８に近い部分が、ボビン３０７に並列巻きで多層に巻かれ、こうして、空心の円筒コイルである分割コイル３０７１が構成される。
【０１０７】
巻き線３０１〜３０４の次にワイヤ接続端子３５〜３８に近い部分が、ボビン３０８に並列巻きで多層に巻かれ、こうして、空心の円筒コイルである分割コイル３０８１が構成される。
【０１０８】
巻き線３０１〜３０４の最もワイヤ接続端子３５〜３８から遠い部分が、ボビン３０９に並列巻きで多層に巻かれ、こうして、空心の円筒コイルである分割コイル３０９１が構成される。
【０１０９】
分割コイル３０６１における巻き線３０１〜３０４の巻き始めは、ワイヤ接続端子３５〜３８にそれぞれ接続される。
【０１１０】
分割コイル３０６１における巻き線３０１〜３０４巻き終わりは、分割コイル３０７１における巻き線３０１〜３０４の巻き始めにそれぞれ接続される。
【０１１１】
分割コイル３０７１における巻き線３０１〜３０４巻き終わりは、分割コイル３０８１における巻き線３０１〜３０４の巻き始めにそれぞれ接続される。
【０１１２】
分割コイル３０８１における巻き線３０１〜３０４巻き終わりは、分割コイル３０９１における巻き線３０１〜３０４の巻き始めにそれぞれ接続される。
【０１１３】
分割コイル３０９１における巻き線３０１〜３０４の巻き終わりは、ワイヤ接続端子３１〜３４にそれぞれ接続される。
【０１１４】
図３では、巻き始めに黒丸印を付し、巻き終わりには黒丸印を付さないようにしている。
【０１１５】
ｘＤＳＬにおいては、主にＡＤＳＬ(Asymmetric DSL)、ＶＤＳＬ(Very high bit-rate DSL)が使用される。ＡＤＳＬの周波数帯域は２６ｋＨｚ〜３．７５ＭＨｚ、ＶＤＳＬの周波数帯域は２６ｋＨｚ〜１６．２ＭＨｚである。
【０１１６】
コモンモードチョークコイル３１０の一実施例では、これらの周波数帯域で信号を通過させ、音声信号の周波数帯域でも信号も通過させるようになっている。
【０１１７】
同実施例では、分割コイル３０６１〜３０９１のそれぞれでは、巻き線３０１〜３０４のそれぞれの巻数が９０ターン（＝６ターン×１５層）で、そのインダクタンス値が５ｍＨである。分割コイル３０６１〜３０９１を直列に接続したので、巻き線３０１〜３０４のそれぞれのインダクタンス値は、前記のサージイミュニティ試験規格ＩＥＣ６１０００−４−５において示された２０ｍＨ（＝５ｍＨ×４（分割コイル３０６１〜３０９１の総数））になっている。
【０１１８】
図５は、コモンモードチョークコイル３１０におけるコモンモードインピーダンスの特性の一例を示す図である。このコモンモードチョークコイル３１０の共振周波数は１５５．０３ｋＨｚになっている。また、そのときのインピーダンス値から求めたインダクタンス値は２０．８ｍＨになる。
【０１１９】
なお、ボビン３０６〜３０９の長さをより長くすることで、巻き線の層数を減らして線間の静電容量を低減でき、これにより、共振周波数をより高くすることができる。
【０１２０】
同実施例では、コモンモードチョークコイル３１０、ワイヤ接続端子３１〜３８、円筒筐体３０５の間が、３０ｋＶ以上の雷サージ電圧によっても絶縁破壊しないように、５０ｋＶ以上の絶縁耐力をもたせている。
【０１２１】
ボビン３０６〜３０９の内側に円筒筐体３０５が挿入されるので、分割コイル３０６１〜３０９１の中心軸が一致し、各分割コイルと円筒筐体３０５との間で同軸構造が構成される。また、分割コイル３０６１〜３０９１で発生する軸方向の磁束の中心軸が一致し、コモンモードチョークコイル３１０のインダクタンスを効率的に発生させることができる。
【０１２２】
また、分割コイル３０６１〜３０９１と円筒筐体３０５の中心軸が一致しているので、空隙３８０の軸方向の長さ調整が容易であり、コモンモードチョークコイル３１０でインダクタンスを最大にする調整が容易に行える。
【０１２３】
（１）２つの通信線接続端子を備える被試験装置３００の試験方法
被試験装置３００が、２つの通信線接続端子を備える場合の試験方法を説明する。
【０１２４】
（１−１）まず、その通信線接続端子３００１、３００２とアースポート３００５の間に雷サージ電圧を印加する場合の試験方法を説明する。かかる印加を「縦印加」という。
【０１２５】
入力部１のアース端子１０は、アースＧに接続される。 
入力部１の通信線接続端子１１、１２は、通信線を介して、被試験装置３００の通信線接続端子３００１、３００２にそれぞれ接続される。
【０１２６】
入力部１のアース接続端子１９は、被試験装置３００のアースポート３００５に接続される。 
出力部５の通信線接続端子５１、５２は、通信線を介して、対向装置２００の通信線接続端子２００１、２００２にそれぞれ接続される。
【０１２７】
対向装置２００のアースポート２００５は、フローティングにされる。 
結合回路部２の０Ｖ端子２０、雷サージ入力端子２１は、雷サージ発生器４００のアースポート４００２、高電圧ポート４００１にそれぞれ接続される。
【０１２８】
この場合の試験に限らず、本実施の形態では、入力部１、結合回路部２、出力部５が操作される。図２に示すように、このような操作対象である入力部１、結合回路部２や、一次防護素子部４を同一の側面１０１１に設けたので、操作性が向上する。また、こうした利便性の向上が、安全性の向上にもつながる。
【０１２９】
スイッチ２０１では、端子２０１１、２０１２間が接続され、端子２０１３はフローティングされる。つまり、初期の設定を維持する。 
スイッチ２０２では、端子２０２２、２０２３間が接続され、端子２０２１はフローティングにされる。つまり、初期の設定を維持する。 
スイッチ２０５、２０６のそれぞれでは、各端子がフローティングにされる。つまり、初期の設定を維持する。 
一次防護素子部４を無効にする場合は、スイッチ４０３、４０４のそれぞれで、各端子が接続される。つまり、初期の設定が変更される。また、スイッチ４０７では、各端子がフローティングにされる。つまり、初期の設定が変更される。
【０１３０】
一方、一次防護素子部４を有効にする場合は、スイッチ４０３、４０４のそれぞれで、各端子がフローティングにされる。つまり、初期の設定が維持される。また、スイッチ４０７では、各端子が接続される。つまり、初期の設定が維持される。
【０１３１】
また、スイッチ６５、６６のそれぞれで、各端子が接続される。つまり、初期の設定が維持される。
【０１３２】
次に、被試験装置３００と対向装置２００とで互いに通信を行う。図３、図４を参照して説明したコモンモードチョークコイル３１０の構成により、ＡＤＳＬの場合の２６ｋＨｚ〜３．７５ＭＨｚの通信信号、ＶＤＳＬの場合の２６ｋＨｚ〜１６．２ＭＨｚの通信信号が遮断されることなく通信が行える。
【０１３３】
また、この通信信号は、雷サージ印加点Ｔ１、Ｔ２を通過し、これらの雷サージ印加点Ｔ１、Ｔ２には、３極ガス避雷管２０９が接続されるのだが、その電極間静電容量が１〜２ｐＦと非常に小さいので、ここでの通信信号が減衰するなどの悪影響をほぼなくすことができる。なお、３極ガス避雷管２０９に限らず、３極ガス避雷管２１０〜２１２の電極間静電容量も１〜２ｐＦと非常に小さいので、これ以降に説明するｘＤＳＬの通信信号についても、その通信信号が減衰するなどの悪影響をほぼなくすことができる。
【０１３４】
次に、雷サージ発生器４００のアースポート４００２に対して正極性又は負極性の雷サージ電圧を高電圧ポート４００１に発生させる。
【０１３５】
この雷サージ電圧は、スイッチ２０１、３極ガス避雷管２０９、スイッチ２０２、出力端子２４を介して、雷サージ印加点Ｔ１に印加される。
【０１３６】
また、この雷サージ電圧は、スイッチ２０１、３極ガス避雷管２０９、出力端子２３を介して、雷サージ印加点Ｔ２に印加される。
【０１３７】
一次防護素子部４を無効にした場合、雷サージ印加点Ｔ１、Ｔ２に印加された雷サージ電圧は、一次防護素子部４によって減衰されず、雷サージ印加点Ｔ１に印加された雷サージ電圧が被試験装置３００の通信線接続端子３００１とアースポート３００５の間に印加され、雷サージ印加点Ｔ２に印加された雷サージ電圧が被試験装置３００の通信線接続端子３００２とアースポート３００５の間に印加される。
【０１３８】
一次防護素子部４を有効にした場合は、雷サージ印加点Ｔ１、Ｔ２に印加された雷サージ電圧は、一次防護素子部４の加入者保安器４０１が動作することによって減衰される。
【０１３９】
加入者保安器４０１の接地端子から出力される動作電流は、接地抵抗４０９、０Ｖ端子２０を介して、雷サージ発生器４００のアースポート４００２に戻る。アースポート４０は、入力部１のアース端子１０を介してアースＧに接続されているので、零電位に保持されている。しかし加入者保安器４０１の接地端子は、加入者保安器４０１の動作後の残留電圧（数十Ｖである）と、接地抵抗４０９の抵抗値と加入者保安器４０１の動作電流との積で表される電圧（接地抵抗電圧という）とを加えた電圧分だけ、零電位よりも電位が上昇している。ただし残留電圧は接地抵抗電圧に比べて非常に小さいので無視してもよい。すなわち一次防護素子部４を有効にした場合において、雷サージ電圧の減衰後の電圧は接地抵抗電圧に等しいと考えて問題はない。
【０１４０】
なお、一次防護素子部４を有効にした場合は、以降の試験でも同様に、加入者保安器４０１や加入者保安器４０２の接地端子は零電位よりも接地抵抗電圧分の電位が上昇している。
【０１４１】
雷サージ印加点Ｔ１に印加された雷サージ電圧またはその減衰後の電圧が被試験装置３００の通信線接続端子３００１とアースポート３００５の間に印加され、雷サージ印加点Ｔ２に印加された雷サージ電圧またはその減衰後の電圧が被試験装置３００の通信線接続端子３００２とアースポート３００５の間に印加される。
【０１４２】
一方、雷サージ印加点Ｔ１、Ｔ２に印加された雷サージ電圧は、減結合回路部３により減衰する。よって、雷サージ印加点Ｔ１、Ｔ２に印加された雷サージ電圧が減衰しないで対向装置２００に印加されるのを防止することができる。したがい、対向装置２００を動作させたままで精度良く雷サージ試験が行える。
【０１４３】
（１−２）次に、通信線接続端子３００１と通信線接続端子３００２の間に雷サージ電圧を印加する場合の試験方法を説明する。かかる印加を「横印加」という。
【０１４４】
入力部１のアース端子１０は、アースＧに接続される。 
対向装置２００、被試験装置３００、雷サージ発生器４００と結合・減結合装置１００との接続は、（１−１）での接続と同様である。結合・減結合装置１００でのスイッチの設定は、（１−１）での設定に対し、以下の点が異なる。
【０１４５】
スイッチ２０２では、端子２０２１、２０２３間が接続され、端子２０２２はフローティングにされる。つまり、初期の設定を変更する。
【０１４６】
こうして、スイッチ２０２を設けて、その設定変更で縦印加と横印加を切り換えるようにしたので、配線を外したり付けたりせずに切り換えが行える。よって、配線の付け外しの手間が省ける。また、作業者が配線の付け外しで高電圧部分に触れることがなく安全性が向上する。
【０１４７】
また、スイッチ６５、６６のそれぞれで、各端子がフローティングにされる。つまり、初期の設定が変更される。
【０１４８】
こうした上で、（１−１）と同様に、被試験装置３００と対向装置２００とで互いに通信を行う。
【０１４９】
次に、雷サージ発生器４００のアースポート４００２に対して正極性又は負極性の雷サージ電圧を高電圧ポート４００１に発生させる。
【０１５０】
この雷サージ電圧は、スイッチ２０１、３極ガス避雷管２０９、出力端子２３を介して、雷サージ印加点Ｔ２に印加される。
【０１５１】
一次防護素子部４を無効にした場合、雷サージ印加点Ｔ２に印加された雷サージ電圧は、一次防護素子部４によって減衰せず、被試験装置３００の通信線接続端子３００２に印加される。
【０１５２】
一次防護素子部４を有効にした場合は、雷サージ印加点Ｔ２に印加された雷サージ電圧は、一次防護素子部４によって減衰され、被試験装置３００の通信線接続端子３００２に印加される。
【０１５３】
また、雷サージ発生器４００のアースポート４００２、結合回路部２の３極ガス避雷管２１０、スイッチ２０２、出力端子２４、雷サージ印加点Ｔ１、一次防護素子部４の通信線接続端子４５、４１、入力部１の通信線接続１５、１１、通信線接続端子３００１を結ぶ経路が形成される。この経路により、雷サージ電圧またはその減衰後の電圧が通信線接続端子３００１と通信線接続端子３００２の間に印加される。
【０１５４】
一方、高電圧ポート４００１、スイッチ２０１、３極ガス避雷管２０９、出力端子２３、雷サージ印加点Ｔ２、巻き線３０２、抵抗６２、通信線接続端子２００２、対向装置２００の内部回路、通信線接続端子２００１、抵抗６１、巻き線３０１、雷サージ印加点Ｔ１、出力端子２４、スイッチ２０２、３極ガス避雷管２１０、雷サージ発生器４００のアースポート４００２を結ぶ経路が形成される。雷サージ電圧は、抵抗６１、６２により減衰する。よって、雷サージ電圧が減衰しないで対向装置２００に印加されるのを防止することができる。したがい、対向装置２００を動作させたままで精度良く雷サージ試験が行える。
【０１５５】
（２）２つの通信線接続端子を備えるアナログの被試験装置の試験方法
次に、２つの通信線接続端子を備えるアナログの被試験装置（図示せず）の試験方法を説明する。
【０１５６】
（２−１）まず、その被試験装置の２つの通信線接続端子（通信線接続端子Ａ１、Ａ２という）とアースポート（アースポートＡＧという）の間に雷サージ電圧を印加する場合の試験方法を説明する。かかる印加を「縦印加」という。
【０１５７】
入力部１のアース端子１０は、アースＧに接続される。 
入力部１の通信線接続端子１１、１２は、通信線を介して、通信線接続端子Ａ１、Ａ２にそれぞれ接続される。
【０１５８】
入力部１のアース接続端子１９は、アースポートＡＧに接続される。 
出力部５の通信線接続端子５１、５２は、通信線を介して、アナログの対向装置の２つの通信線接続端子（通信線接続端子Ｂ１、Ｂ２という）にそれぞれ接続される。
【０１５９】
対向装置２００のアースポート（アースポートＢＧという）は、フローティングにされる。 
結合回路部２の０Ｖ端子２０、雷サージ入力端子２１は、雷サージ発生器４００のアースポート４００２、高電圧ポート４００１にそれぞれ接続される。
【０１６０】
スイッチ２０１では、端子２０１１、２０１３間が接続され、端子２０１２はフローティングされる。つまり、初期の設定が変更される。 
スイッチ２０５では、各端子がフローティングにされる。つまり、初期の設定を維持する。
【０１６１】
一次防護素子部４を無効にする場合は、スイッチ４０３、４０４のそれぞれで、各端子が接続される。つまり、初期の設定が変更される。また、スイッチ４０７では、各端子がフローティングにされる。つまり、初期の設定が変更される。
【０１６２】
一方、一次防護素子部４を有効にする場合は、スイッチ４０３、４０４のそれぞれで、各端子がフローティングにされる。つまり、初期の設定が維持される。また、スイッチ４０７では、各端子が接続される。つまり、初期の設定が維持される。
【０１６３】
また、スイッチ６５、６６のそれぞれで、各端子が接続される。つまり、初期の設定が維持される。
【０１６４】
次に、アナログの被試験装置と対向装置とで互いに通信を行う。 
次に、雷サージ発生器４００のアースポート４００２に対して正極性又は負極性の雷サージ電圧を高電圧ポート４００１に発生させる。
【０１６５】
この雷サージ電圧は、スイッチ２０１、アナログ用結合回路部２０７、出力端子２３、２４を介して、雷サージ印加点Ｔ１、Ｔ２に印加される。
【０１６６】
一次防護素子部４を無効にした場合、雷サージ印加点Ｔ１に印加された雷サージ電圧は、一次防護素子部４によって減衰せず、通信線接続端子Ａ１とアースポートＡＧの間に印加される。また、雷サージ印加点Ｔ２に印加された雷サージ電圧は、一次防護素子部４によって減衰せず、通信線接続端子Ａ２とアースポートＡＧの間に印加される。
【０１６７】
一次防護素子部４を有効にした場合は、雷サージ印加点Ｔ１に印加された雷サージ電圧は、一次防護素子部４によって減衰され、通信線接続端子Ａ１とアースポートＡＧの間に印加される。また、雷サージ印加点Ｔ２に印加された雷サージ電圧は、一次防護素子部４によって減衰され、通信線接続端子Ａ２とアースポートＡＧの間に印加される。
【０１６８】
一方、雷サージ印加点Ｔ１、Ｔ２に印加された雷サージ電圧は、減結合回路部３により減衰する。よって、雷サージ印加点Ｔ１、Ｔ２に印加された雷サージ電圧が減衰しないで対向装置に印加されるのを防止することができる。したがい、対向装置を動作させたままで精度良く雷サージ試験が行える。
【０１６９】
（２−２）次に、通信線接続端子Ａ１と通信線接続端子Ａ２の間に雷サージ電圧を印加する場合の試験方法を説明する。かかる印加を「横印加」という。
【０１７０】
入力部１のアース端子１０は、アースＧに接続される。 
対向装置、被試験装置、雷サージ発生器４００と結合・減結合装置１００との接続は、（２−１）での接続と同様である。結合・減結合装置１００では、スイッチ６５、６６のそれぞれで、各端子がフローティングにされる。つまり、初期の設定が変更される。これ以外のスイッチの設定は、（２−１）での設定と同様である。
【０１７１】
こうした上で、（２−１）と同様に、被試験装置と対向装置とで互いに通信を行う。
【０１７２】
次に、雷サージ発生器４００のアースポート４００２に対して正極性又は負極性の雷サージ電圧を高電圧ポート４００１に発生させる。
【０１７３】
この雷サージ電圧は、スイッチ２０１、アナログ用結合回路部２０７、出力端子２３を介して、雷サージ印加点Ｔ２に印加される。
【０１７４】
一次防護素子部４を無効にした場合、雷サージ印加点Ｔ２に印加された雷サージ電圧は、一次防護素子部４によって減衰せず、通信線接続端子Ａ２に印加される。
【０１７５】
一次防護素子部４を有効にした場合は、雷サージ印加点Ｔ２に印加された雷サージ電圧は、一次防護素子部４によって減衰され、通信線接続端子Ａ２に印加される。
【０１７６】
また、雷サージ発生器４００のアースポート４００２、アナログ用結合回路部２０７のアースポート（図示せず）、出力端子２４、雷サージ印加点Ｔ１、一次防護素子部４の通信線接続端子４５、４１、入力部１の通信線接続１５、１１、通信線接続端子３００１を結ぶ経路が形成される。この経路により、雷サージ電圧またはその減衰後の電圧が通信線接続端子Ａ１と通信線接続端子Ａ２の間に印加される。
【０１７７】
一方、（１−２）と同様にして、雷サージ電圧が減衰しないで対向装置２００に印加されるのを防止することができる。したがい、対向装置２００を動作させたままで精度良く雷サージ試験が行える。
【０１７８】
（３）４つの通信線接続端子を備える被試験装置３００の試験方法
次に、被試験装置３００が４つの通信線接続端子を備える場合の試験方法を説明する。
【０１７９】
（３−１）まず、通信線接続端子３００１〜３００４とアースポート３００５の間に雷サージ電圧を印加する場合の試験方法を説明する。かかる印加を「縦印加」という。
【０１８０】
入力部１のアース端子１０は、アースＧに接続される。 
入力部１の通信線接続端子１１〜１４は、通信線３１００を介して、被試験装置３００の通信線接続端子３００１〜３００４にそれぞれ接続される。組で使用される通信線接続端子３００１、３００２は、通信線接続端子１１、１２にそれぞれ接続される。組で使用される通信線接続端子３００３、３００４は、通信線接続端子１３、１４にそれぞれ接続される。 
入力部１のアース接続端子１９は、被試験装置３００のアースポート３００５に接続される。
【０１８１】
出力部５の通信線接続端子５１〜５４は、通信線２１００を介して、対向装置２００の通信線接続端子２００１〜２００４にそれぞれ接続される。組で使用される通信線接続端子２００１、２００２は、通信線接続端子５１、５２にそれぞれ接続される。組で使用される通信線接続端子２００３、２００４は、通信線接続端子５３、５４にそれぞれ接続される。
【０１８２】
対向装置２００のアースポート２００５は、フローティングにされる。 
結合回路部２の０Ｖ端子２０、雷サージ入力端子２１は、雷サージ発生器４００のアースポート４００２、高電圧ポート４００１にそれぞれ接続される。
【０１８３】
スイッチ２０１では、端子２０１１、２０１２間が接続され、端子２０１３はフローティングされる。つまり、初期の設定を維持する。 
スイッチ２０２では、端子２０２２、２０２３間が接続され、端子２０２１はフローティングにされる。つまり、初期の設定を維持する。 
スイッチ２０３では、端子２０３１、２０３２間が接続され、端子２０３３はフローティングされる。つまり、初期の設定を維持する。 
スイッチ２０４では、端子２０４２、２０４３間が接続され、端子２０４１はフローティングにされる。つまり、初期の設定を維持する。 
スイッチ２０５、２０６のそれぞれでは、各端子が接続される。つまり、初期の設定が変更される。
【０１８４】
一次防護素子部４を無効にする場合は、スイッチ４０３〜４０６のそれぞれで、各端子が接続される。つまり、初期の設定が変更される。また、スイッチ４０７、４０８のそれぞれでは、各端子がフローティングにされる。つまり、初期の設定が変更される。
【０１８５】
一方、一次防護素子部４を有効にする場合は、スイッチ４０３〜４０６のそれぞれで、各端子がフローティングにされる。つまり、初期の設定が維持される。また、スイッチ４０７、４０８のそれぞれでは、各端子が接続される。つまり、初期の設定が維持される。
【０１８６】
また、スイッチ６５〜６８のそれぞれで、各端子が接続される。つまり、初期の設定が維持される。
【０１８７】
次に、被試験装置３００と対向装置２００とで互いに通信を行う。図３、図４を参照して説明したコモンモードチョークコイル３１０の構成により、ＡＤＳＬの場合の２６ｋＨｚ〜３．７５ＭＨｚの通信信号、ＶＤＳＬの場合の２６ｋＨｚ〜１６．２ＭＨｚの通信信号が遮断されることなく通信が行える。
【０１８８】
次に、雷サージ発生器４００のアースポート４００２に対して正極性又は負極性の雷サージ電圧を高電圧ポート４００１に発生させる。
【０１８９】
この雷サージ電圧は、スイッチ２０１、３極ガス避雷管２０９、スイッチ２０２、出力端子２４を介して、雷サージ印加点Ｔ１に印加される。
【０１９０】
また、この雷サージ電圧は、スイッチ２０１、３極ガス避雷管２０９、出力端子２３を介して、雷サージ印加点Ｔ２に印加される。
【０１９１】
また、この雷サージ電圧は、スイッチ２０５、２０３、３極ガス避雷管２１１、スイッチ２０４、出力端子２５を介して、雷サージ印加点Ｔ３に接続される。
【０１９２】
また、この雷サージ電圧は、スイッチ２０５、２０３、３極ガス避雷管２１１、出力端子２６を介して、雷サージ印加点Ｔ４に印加される。
【０１９３】
一次防護素子部４を無効にした場合、雷サージ印加点Ｔ１〜Ｔ４に印加された雷サージ電圧は、一次防護素子部４によって減衰されず、雷サージ印加点Ｔ１に印加された雷サージ電圧が被試験装置３００の通信線接続端子３００１とアースポート３００５の間に印加され、雷サージ印加点Ｔ２に印加された雷サージ電圧が被試験装置３００の通信線接続端子３００２とアースポート３００５の間に印加され、雷サージ印加点Ｔ３に印加された雷サージ電圧が被試験装置３００の通信線接続端子３００３とアースポート３００５の間に印加され、雷サージ印加点Ｔ４に印加された雷サージ電圧が被試験装置３００の通信線接続端子３００４とアースポート３００５の間に印加される。
【０１９４】
一次防護素子部４を有効にした場合は、雷サージ印加点Ｔ１〜Ｔ４に印加された雷サージ電圧は、一次防護素子部４によって減衰され、雷サージ印加点Ｔ１に印加された雷サージ電圧の減衰後の電圧が被試験装置３００の通信線接続端子３００１とアースポート３００５の間に印加され、雷サージ印加点Ｔ２に印加された雷サージ電圧の減衰後の電圧が被試験装置３００の通信線接続端子３００２とアースポート３００５の間に印加され、雷サージ印加点Ｔ３に印加された雷サージ電圧の減衰後の電圧が被試験装置３００の通信線接続端子３００３とアースポート３００５の間に印加され、雷サージ印加点Ｔ４に印加された雷サージ電圧の減衰後の電圧が被試験装置３００の通信線接続端子３００４とアースポート３００５の間に印加される。
【０１９５】
一方、雷サージ印加点Ｔ１〜Ｔ４に印加された雷サージ電圧は、減結合回路部３により減衰する。よって、雷サージ印加点Ｔ１〜Ｔ４に印加された雷サージ電圧が減衰しないで対向装置２００に印加されるのを防止することができる。したがい、対向装置２００を動作させたままで精度良く雷サージ試験が行える。
【０１９６】
（３−２）次に、通信線接続端子３００１と通信線接続端子３００２の間、並びに、通信線接続端子３００３と通信線接続端子３００４の間に雷サージ電圧を印加する場合の試験方法を説明する。かかる印加を「横印加」という。
【０１９７】
入力部１のアース端子１０は、アースＧに接続される。 
対向装置２００、被試験装置３００、雷サージ発生器４００と結合・減結合装置１００との接続は、（３−１）での接続と同様である。結合・減結合装置１００でのスイッチの設定は、（３−１）での設定に対し、以下の点が異なる。
【０１９８】
スイッチ２０２では、端子２０２１、２０２３間が接続され、端子２０２２はフローティングにされる。つまり、初期の設定を変更する。 
また、スイッチ２０４では、端子２０４１、２０４３間が接続され、端子２０４２はフローティングにされる。つまり、初期の設定を変更する。 
こうして、スイッチ２０２、２０４を設けて、その設定変更で縦印加と横印加を切り換えるようにしたので、配線を外したり付けたりせずに切り換えが行える。よって、配線の付け外しの手間が省ける。また、作業者が配線の付け外しで高電圧部分に触れることがなく安全性が向上する。
【０１９９】
また、スイッチ６５〜６８のそれぞれで、各端子がフローティングにされる。つまり、初期の設定が変更される。
【０２００】
こうした上で、（３−１）と同様に、被試験装置３００と対向装置２００とで互いに通信を行う。
【０２０１】
次に、雷サージ発生器４００のアースポート４００２に対して正極性又は負極性の雷サージ電圧を高電圧ポート４００１に発生させる。
【０２０２】
この雷サージ電圧は、スイッチ２０１、３極ガス避雷管２０９、出力端子２３を介して、雷サージ印加点Ｔ２に印加される。
【０２０３】
一次防護素子部４を無効にした場合、雷サージ印加点Ｔ２に印加された雷サージ電圧は、一次防護素子部４によって減衰せず、被試験装置３００の通信線接続端子３００２に印加される。
【０２０４】
一次防護素子部４を有効にした場合は、雷サージ印加点Ｔ２に印加された雷サージ電圧は、一次防護素子部４によって減衰され、被試験装置３００の通信線接続端子３００２に印加される。
【０２０５】
また、雷サージ発生器４００のアースポート４００２、結合回路部２の３極ガス避雷管２１０、スイッチ２０２、出力端子２４、雷サージ印加点Ｔ１、一次防護素子部４の通信線接続端子４５、４１、入力部１の通信線接続１５、１１、通信線接続端子３００１を結ぶ経路が形成される。この経路により、雷サージ電圧またはその減衰後の電圧が通信線接続端子３００１と通信線接続端子３００２の間に印加される。
【０２０６】
また、この雷サージ電圧は、スイッチ２０５、２０３、３極ガス避雷管２１１、出力端子２６を介して、雷サージ印加点Ｔ４に印加される。
【０２０７】
一次防護素子部４を無効にした場合、雷サージ印加点Ｔ４に印加された雷サージ電圧は、一次防護素子部４によって減衰せず、被試験装置３００の通信線接続端子３００４に印加される。
【０２０８】
一次防護素子部４を有効にした場合は、雷サージ印加点Ｔ４に印加された雷サージ電圧は、一次防護素子部４によって減衰され、被試験装置３００の通信線接続端子３００４に印加される。
【０２０９】
また、雷サージ発生器４００のアースポート４００２、結合回路部２のスイッチ２０６、３極ガス避雷管２１２、スイッチ２０４、出力端子２５、雷サージ印加点Ｔ３、一次防護素子部４の通信線接続端子４７、４３、入力部１の通信線接続１７、１３、通信線接続端子３００３を結ぶ経路が形成される。この経路により、雷サージ電圧またはその減衰後の電圧が通信線接続端子３００３と通信線接続端子３００４の間に印加される。
【０２１０】
一方、（１−２）などと同様にして、雷サージ電圧は抵抗６１、６２により減衰する。
【０２１１】
また、高電圧ポート４００１、スイッチ２０５、スイッチ２０３、３極ガス避雷管２１１、出力端子２６、雷サージ印加点Ｔ４、巻き線３０４、抵抗６４、通信線接続端子２００４、対向装置２００の内部回路、通信線接続端子２００３、抵抗６３、巻き線３０３、雷サージ印加点Ｔ３、出力端子２５、スイッチ２０４、３極ガス避雷管２１２、スイッチ２０６、雷サージ発生器４００のアースポート４００２を結ぶ経路が形成される。雷サージ電圧は、抵抗６３、６４により減衰する。
【０２１２】
よって、雷サージ電圧が減衰しないで対向装置２００に印加されるのを防止することができる。したがい、対向装置２００を動作させたままで精度良く雷サージ試験が行える。
【０２１３】
（４）４つの通信線接続端子を備えるアナログの被試験装置の試験方法
次に、４つの通信線接続端子を備えるアナログの被試験装置（図示せず）の試験方法を説明する。
【０２１４】
（４−１）まず、アナログの被試験装置の４つの通信線接続端子（通信線接続端子Ａ１〜Ａ４という）とアースポート（アースポートＡＧという）の間に雷サージ電圧を印加する場合の試験方法を説明する。かかる印加を「縦印加」という。
【０２１５】
入力部１のアース端子１０は、アースＧに接続される。 
入力部１の通信線接続端子１１〜１４は、通信線を介して、通信線接続端子Ａ１〜Ａ４にそれぞれ接続される。組で使用される通信線接続端子Ａ１、Ａ２は、通信線接続端子１１、１２にそれぞれ接続される。組で使用される通信線接続端子Ａ３、Ａ４は、通信線接続端子１３、１４にそれぞれ接続される。
【０２１６】
入力部１のアース接続端子１９は、アースポートＡＧに接続される。 
出力部５の通信線接続端子５１〜５４は、通信線を介して、アナログの対向装置の４つの通信線接続端子（通信線接続端子Ｂ１〜Ｂ４という）にそれぞれ接続される。組で使用される通信線接続端子Ｂ１、Ｂ２は、通信線接続端子５１、５２にそれぞれ接続される。組で使用される通信線接続端子Ｂ３、Ｂ４は、通信線接続端子５３、５４にそれぞれ接続される。
【０２１７】
対向装置２００のアースポート（アースポートＢＧという）は、フローティングにされる。 
結合回路部２の０Ｖ端子２０、雷サージ入力端子２１は、雷サージ発生器４００のアースポート４００２、高電圧ポート４００１にそれぞれ接続される。
【０２１８】
スイッチ２０１では、端子２０１１、２０１３間が接続され、端子２０１２はフローティングされる。つまり、初期の設定が変更される。 
スイッチ２０３では、端子２０３１、２０３３間が接続され、端子２０３２はフローティングされる。つまり、初期の設定が変更される。 
スイッチ２０５では、各端子が接続される。つまり、初期の設定が変更される。
【０２１９】
一次防護素子部４を無効にする場合は、スイッチ４０３、４０４のそれぞれで、各端子が接続される。つまり、初期の設定が変更される。また、スイッチ４０７では、各端子がフローティングにされる。つまり、初期の設定が変更される。
【０２２０】
一方、一次防護素子部４を有効にする場合は、スイッチ４０３、４０４のそれぞれで、各端子がフローティングにされる。つまり、初期の設定が維持される。また、スイッチ４０７では、各端子が接続される。つまり、初期の設定が維持される。
【０２２１】
次に、アナログの被試験装置と対向装置とで互いに通信を行う。 
次に、雷サージ発生器４００のアースポート４００２に対して正極性又は負極性の雷サージ電圧を高電圧ポート４００１に発生させる。
【０２２２】
この雷サージ電圧は、スイッチ２０１、アナログ用結合回路部２０７、出力端子２３、２４を介して、雷サージ印加点Ｔ１、Ｔ２に印加される。 
また、この雷サージ電圧は、スイッチ２０５、２０３、アナログ用結合回路部２０８、出力端子２５、２６を介して、雷サージ印加点Ｔ３、Ｔ４に印加される。
【０２２３】
一次防護素子部４を無効にした場合、雷サージ印加点Ｔ１〜Ｔ４に印加された雷サージ電圧は、一次防護素子部４によって減衰されず、雷サージ印加点Ｔ１に印加された雷サージ電圧が通信線接続端子Ａ１とアースポートＡＧの間に印加され、雷サージ印加点Ｔ２に印加された雷サージ電圧が通信線接続端子Ａ２とアースポートＡＧの間に印加され、雷サージ印加点Ｔ３に印加された雷サージ電圧が通信線接続端子Ａ３とアースポートＡＧの間に印加され、雷サージ印加点Ｔ４に印加された雷サージ電圧が通信線接続端子Ａ４とアースポートＡＧの間に印加される。
【０２２４】
一次防護素子部４を有効にした場合は、雷サージ印加点Ｔ１〜Ｔ４に印加された雷サージ電圧は、一次防護素子部４によって減衰され、雷サージ印加点Ｔ１に印加された雷サージ電圧の減衰後の電圧が通信線接続端子Ａ１とアースポートＡＧの間に印加され、雷サージ印加点Ｔ２に印加された雷サージ電圧の減衰後の電圧が通信線接続端子Ａ２とアースポートＡＧの間に印加され、雷サージ印加点Ｔ３に印加された雷サージ電圧の減衰後の電圧が通信線接続端子Ａ３とアースポートＡＧの間に印加され、雷サージ印加点Ｔ４に印加された雷サージ電圧の減衰後の電圧が通信線接続端子Ａ４とアースポートＡＧの間に印加される。
【０２２５】
一方、雷サージ印加点Ｔ１〜Ｔ４に印加された雷サージ電圧は、減結合回路部３により減衰する。よって、雷サージ印加点Ｔ１〜Ｔ４に印加された雷サージ電圧が減衰しないで対向装置に印加されるのを防止することができる。したがい、対向装置を動作させたままで精度良く雷サージ試験が行える。
【０２２６】
（４−２）次に、アナログの被試験装置の通信線接続端子Ａ１と通信線接続端子Ａ２の間、並びに、通信線接続端子Ａ３と通信線接続端子Ａ４の間に雷サージ電圧を印加する場合の試験方法を説明する。かかる印加を「横印加」という。
【０２２７】
入力部１のアース端子１０は、アースＧに接続される。 
対向装置、被試験装置、雷サージ発生器４００と結合・減結合装置１００との接続は、（４−１）での接続と同様である。結合・減結合装置１００では、スイッチ６５〜６８のそれぞれで、各端子がフローティングにされる。つまり、初期の設定が変更される。これ以外のスイッチの設定は、（４−１）での設定と同様である。
【０２２８】
こうした上で、（４−１）と同様に、被試験装置と対向装置とで互いに通信を行う。
【０２２９】
次に、雷サージ発生器４００のアースポート４００２に対して正極性又は負極性の雷サージ電圧を高電圧ポート４００１に発生させる。
【０２３０】
この雷サージ電圧は、スイッチ２０１、アナログ用結合回路部２０７、出力端子２３を介して、雷サージ印加点Ｔ２に印加される。
【０２３１】
一次防護素子部４を無効にした場合、雷サージ印加点Ｔ２に印加された雷サージ電圧は、一次防護素子部４によって減衰せず、通信線接続端子Ａ２に印加される。
【０２３２】
一次防護素子部４を有効にした場合は、雷サージ印加点Ｔ２に印加された雷サージ電圧は、一次防護素子部４によって減衰され、通信線接続端子Ａ２に印加される。
【０２３３】
また、雷サージ発生器４００のアースポート４００２、アナログ用結合回路部２０７、出力端子２４、雷サージ印加点Ｔ１、一次防護素子部４の通信線接続端子４５、４１、入力部１の通信線接続１５、１１、通信線接続端子３００１を結ぶ経路が形成される。この経路により、雷サージ電圧またはその減衰後の電圧が通信線接続端子Ａ１と通信線接続端子Ａ２の間に印加される。
【０２３４】
また、雷サージ電圧は、スイッチ２０５、２０３、アナログ用結合回路部２０８、出力端子２６を介して、雷サージ印加点Ｔ４に印加される。
【０２３５】
一次防護素子部４を無効にした場合、雷サージ印加点Ｔ４に印加された雷サージ電圧は、一次防護素子部４によって減衰せず、通信線接続端子Ａ４に印加される。
【０２３６】
一次防護素子部４を有効にした場合、雷サージ印加点Ｔ４に印加された雷サージ電圧は、一次防護素子部４によって減衰し、通信線接続端子Ａ４に印加される。
【０２３７】
また、雷サージ発生器４００のアースポート４００２、アナログ用結合回路部２０８のアースポート（図示せず）、出力端子２５、雷サージ印加点Ｔ３、一次防護素子部４の通信線接続端子４７、４３、入力部１の通信線接続１７、１３、通信線接続端子Ａ３を結ぶ経路が形成される。この経路により、雷サージ電圧またはその減衰後の電圧が通信線接続端子Ａ３と通信線接続端子Ａ４の間に印加される。
【０２３８】
一方、（３−２）などと同様にして、雷サージ電圧が減衰しないで対向装置２００に印加されるのを防止することができる。
【０２３９】
上記の（１）、（３）で説明した試験方法の結果の一例を説明する。
【０２４０】
この試験では、被試験装置３００及び対向装置２００として、伝送速度が５０ＭｂｐｓのＶＤＳＬモデムを使用した。通信速度は、下り２５．７Ｍｂｐｓ、上り７．９Ｍｂｐｓに設定できた。。
【０２４１】
雷サージ電圧の波形は、波頭長１０ｕｓ、波尾長７００ｕｓの波形とした。電流制限抵抗は２５Ωとした。雷サージ発生器４００の充電電圧は１５ｋＶとした。
【０２４２】
この雷サージ電圧の印加後の被試験装置３００及び対向装置２００では、共に異常は発生しなかった。
【０２４３】
以上、（１）〜（４）の試験に使用可能な結合・減結合装置１００の構成とこれらの試験方法を説明したが、（１）、（２）の試験だけ行えればよいときは、以下のようにしてもよい。
【０２４４】
入力部１では、通信線接続端子１３、１４、１７、１８を設けなくてよい。
【０２４５】
結合回路部２では、スイッチ２０３、２０４、２０５、２０６、３極ガス避雷管２１１、２１２、出力端子２５、２５を設けなくてよい。
【０２４６】
減結合回路部３では、巻き線３０３、３０４、ワイヤ接続端子３３、３４、３７、３８を設けなくてよい。この場合、巻き線３０１、３０２を並列巻きにすればよい。
【０２４７】
一次防護素子部４では、加入者保安器４０２、スイッチ４０５、４０６、４０８、接地抵抗４１０、通信線接続端子４３、４４、４７、４８を設けなくてよい。
【０２４８】
出力部５では、通信線接続端子５３、５４、５７、５８を設けなくてよい。
【０２４９】
また、不平衡線２８は設けなくてよい。
【０２５０】
また、通信線（平衡線）４９を設けず、入力部１の通信線接続端子１５、１６を、２本の通信線（平衡線）を介して、一次防護素子部４の通信線接続端子４１〜４４にそれぞれ接続すればよい。
【０２５１】
また、通信線（平衡線）５９を設けず、出力部５の通信線接続端子５５、５６を、２本の通信線（平衡線）を介して、減結合回路部３のワイヤ接続端子３１、３２にそれぞれ接続すればよい。
【０２５２】
また、通信線（平衡線）３９を設けず、減結合回路部３のワイヤ接続端子３５、３６を、２本の通信線（平衡線）を介して、一次防護素子部４の通信線接続端子４５、４６にそれぞれ接続すればよい。
【０２５３】
また、（１）や（２）の試験は、被試験装置と対向装置のそれぞれが、２つの通信線接続端子を備えるとして説明したが、被試験装置と対向装置のそれぞれが、４つの通信線接続端子を備え、その２つを使用する場合でも同様に行えばよい。
【０２５４】
また、本実施の形態では、被試験装置３００や対向装置２００としてＶＤＳＬモデムを使用したが、本発明はこれに限定されることなく、その他のＩＴ機器等の通信機器についても適用することができる。
【図面の簡単な説明】
【０２５５】
【図１】本発明の一実施形態に係る結合・減結合装置を適用した雷サージ試験回路を示す回路図である。
【図２】結合・減結合装置１００の一部を切り欠いた斜視図である。
【図３】コモンモードチョークコイル３１０の回路図である。
【図４】一部を切り欠いたコモンモードチョークコイル３１０の側面図である。
【図５】コモンモードチョークコイル３１０におけるコモンモードインピーダンスの特性の一例を示す図である。
【符号の説明】
【０２５６】
１…入力部
１Ａ、１９…アース接続端子
２…結合回路部
３…減結合回路部
４…一次防護素子部
５…出力部
１０…アース端子
１１〜１８、４１〜４８、５１〜５８、２００１〜２００４、３００１〜３００４…通信線接続端子
２０…０Ｖ端子
２１…雷サージ入力端子
２３〜２６…出力端子
２７、２８…不平衡線
３１〜３８…ワイヤ接続端子
３９、４９、５９、２１００、３１００…通信線
４０、２００５、３００５、４００２…アースポート
５０…アース接続端子
６１〜６４…抵抗
１００…結合・減結合装置
１０１…筐体
２００…対向装置
６５〜６８、２０１〜２０６、４０３〜４０８…スイッチ
２０７、２０８…アナログ用結合回路部
２０９〜２１２…３極ガス避雷管
３００…被試験装置
３０１〜３０４…巻き線
３０５…円筒筐体
３０６〜３０９…ボビン
３１０…コモンモードチョークコイル
３８０…空隙
４００…雷サージ発生器
４０１、４０２…加入者保安器
４０９、４１０…接地抵抗
１０１１、１０１２…側面
３０６１〜３０９１…分割コイル
４００１…高電圧ポート
Ｇ…アース
Ｔ１〜Ｔ４…雷サージ印加点
【図１】
2008206315.tif 000003
【図２】
2008206315.tif 000004
【図３】
2008206315.tif 000005
【図４】
2008206315.tif 000006
【図５】
2008206315.tif 000007